(57)【要約】      （修正有）【課題】自分の個性を表現する機会や、他者の個性を見知る機会を求めている人にとって、より利用し易く、より楽しく利用できるシステム装置を提供する。【解決手段】利用者がネットワークを介して不特定多数の人に自分の個性を示しあうことのできるシステム装置を開発する。そのシステム装置には、個性の一致／不一致の度合いを測り、表示することが出来、望むもの同士にはコミュニケーションをとる手段を提供する機能等を備える。そうすることで、利用者にとって、より利用し易く、より楽しく利用できるシステム装置となる。【選択図】図１
2009093523.tif 000002
【特許請求の範囲】
【請求項１】
言葉や映像や音楽やその他のあらゆる方法によって個性を問われるとき、ネットワークを介して個人が任意にそれを選択、あるいは発想、あるいは表現、あるいは伝達することによって自分自身の個性を不特定多数に対して容易に示すことが出来ることを特徴とするシステム装置。
【請求項２】
ある人が一つ以上の方法で自分自身の個性を示したとき、それと完全に一致する、もしくは完全に一致しない、もしくは一部が一致するという個性を示している他の誰かがいるかどうかを発見することが出来ることを特徴とする、上記請求項１記載の特徴を備えるシステム装置。
【請求項３】
本システムの利用者同士が、自分と相手との個性の一致度合いを知ることによって相手に興味を抱いた場合、その相手との間のコミュニケーションを仲介することが出来ることを特徴とする、上記請求項１〜２のいずれか一項ないし複数項記載の特徴を備えるシステム装置。
【発明の詳細な説明】
【技術分野】
【０００１】
本発明は、自分の個性や趣味嗜好を表現したい、理解されたいと思っている人にとって、より安全な、あるいは、より手軽な、あるいは、より自由な表現の機会を与えると共に、その個性や趣味嗜好が完全一致する、あるいは、完全に一致しない、あるいは、一部が一致する相手の発見とコミュニケーションを仲介するシステム装置に関する。
【背景技術】
【０００２】
個人の個性や趣味嗜好は一人一人異なるもので、誰しも大なり小なりそれを誰かに向けて表現したい、あるいは、誰かに理解して欲しいと思っている。しかし、これまでは直接会って伝えて理解してもらうしか方法がなかった。
【０００３】
近年になって、インターネットを介することで見知らぬ相手と顔を合わせないままに交流する手段が生まれ、これを利用して自分の個性を伝えるという方法が生まれた。いわゆる、ホームページやブログやＢＢＳやチャットのことである。
【０００４】
また、誰かに自分の個性を伝え、理解してもらう間接的な方法として、相性占いという方法がある。ある方法によって選別された組合せに従うことで、自分の個性を理解してくれる相手を探そうという試みである。
【０００５】
また、誰かに自分の個性を伝え、理解してもらう別の間接的な方法として、相性診断という方法もある。個人情報の一部に対して条件をつけていくことで、自分の個性を理解してくれる相手を探そうという試みである。
【発明の開示】
【発明が解決しようとする課題】
【０００６】
しかし、これらの既存の方法には問題もあった。まず、直接会って自分の個性を伝える方法では、遠くにいる人には伝えることが出来ない。たとえ近くにいる人でも、お互いに個性を見せ合うには一定以上に親密になる必要があるため時間もかかる。
【０００７】
また、インターネットを介する場合、遠くにいる人にも自分の個性を伝えることは出来るが、伝えられた相手がそれをどう受けとめたのかが分からない、あるいは、分かるとしても極めて分かり難い。
【０００８】
また、自分の個性を誰かに伝えた場合、当然の欲求として次に求めるのは相手からも個性を伝えてもらうことである。お互いに個性を見せ合うことは、気が合うかどうか、運命の相手かどうかを判断するのに欠かせない。ところが、そうなるためにはお互いの親密度が一定以上に達していることが前提となる場合が多く、多大な時間と労力を交流に割く必要がでてくる。そうすると人生の中で充分にお互いの個性を確かめ合える人数は極めて少人数に限られてしまう。
【０００９】
また、相性占いの場合、その判断基準に疑問を抱いてしまうことが多い。たとえば生年月日を用いた相性占いで「１月１日生まれの人と７月７日生まれの人は相性が最高だということになっているから、あなたたちの相性は最高なんです」と言われても、それで充分に納得のいく説明を得られた、と感じる人は少ない。相性占いで出会った相手が、本当に自分の個性を理解してくれる相手だと思えないのでは意味が無い。
【００１０】
また、相性診断の場合、相手に条件をつけるときの基準が自分の想像に頼るしかない。たとえば相手の個人情報に対して「年収が七百万円以上」「最終学歴が大学以上」「年齢差が五歳以内」などの条件をつけていくことによって希望の相手を探すことは出来るが、そうして探した相手がはたしてお互いに個性を理解し合うことが出来る相手かどうかは全く判らないのでは意味が無い。
【００１１】
そこで、本発明の目的は、これらのような従来の方法につきまとう不便さや不安さや不満さを解決することによって、これまでに得られなかった新しい楽しみや満足を与えることである。
【課題を解決するための手段】
【００１２】
そこで、上記の目的を達成するために、請求項１にある通り、誰もがネットワークを介して容易に自分の個性を不特定多数に対して示すことが出来ることを特徴とするシステム装置を開発し、提供する。
【００１３】
また、請求項２にある通り、自分の個性と完全に一致する、もしくは完全に一致しない、もしくは一部が一致するという個性の持ち主がいるかどうかを発見することが出来ることを特徴とする、上記段落００１２記載の特徴を備えるシステム装置を開発し、提供する。
【００１４】
また、請求項３にある通り、本システムの利用者同士が相手に興味を抱いた場合、その相手との間のコミュニケーションを仲介することが出来ることを特徴とする、上記段落００１２〜００１３のいずれか一段落ないし複数段落記載の特徴を備えるシステム装置を開発し、提供する。
【発明の効果】
【００１５】
本発明の効果として、請求項１のシステム装置を使うと、通常の人間関係において長い時間を必要とする自分の個性の表現を容易に達成することが出来、しかもネットワークを介して不特定多数へ伝達することができる為、その相手は通常では出会うことが出来ないような遠地に暮らす人間も含まれる。
【００１６】
また、請求項２のシステム装置を使うと、自分以外の誰かがおこなった個性の表現を見知ることが出来、さらに自分の表現した個性と比較することが出来る。
【００１７】
また、請求項２のシステム装置を使うと、自分の個性と完全に一致、あるいは完全に不一致、あるいは一部が一致している他者を発見することが出来る。
【００１８】
また、請求項３のシステム装置を使うと、自分の個性と比較してみて興味を覚えた相手との間にコミュニケーションを持つことが出来る。
【００１９】
これらの特徴を一つ以上備えたシステム装置は、利用者にとって利用し易い、あるいは、利用したくなる楽しみのあるシステム装置となるのである。
【発明を実施するための最良の形態】
【００２０】
以下に、本発明の実施例を説明する。この実施例は、請求項１〜３の全ての特徴を備えているものとする。
【実施例】
【００２１】
本発明の実施例の概要は図１のようになる。インターネット上にサーバ０１を設置し、そこに本システム装置に必要な機能を実行するためのプログラムとデータベースを備える。利用者は各自の端末、たとえば携帯電話機などをインターネットに接続して、サーバ０１にアクセスすることで、本発明を利用できる。その際、全ての利用者は固有の名称を自由に名乗ることが出来る。
【００２２】
利用者がサーバ０１にアクセスすると、ＹＥＳ／ＮＯで回答することの出来る質問が２７問ある。質問は例えば「サッカーが好きで応援しているチームもある」とか「１回のデートの予算は２人あわせて１万円以内が望ましい」とか「アウトドア／インドアでいえばアウトドア派である」とか「結婚しても子供は作りたくない」などが考えられる。
【００２３】
利用者は、出題された質問に対して自分の個性のままにＹＥＳ／ＮＯを選択して回答する。他の利用者もまた同様に質問に回答する。ＹＥＳ／ＮＯで回答できる２７個に質問に回答すると、その回答の組合せは２の２７乗で１億３４２１万７７２８通りあることになる。つまり、日本人が全て本システム装置を利用した場合でも、自分とまったく同じ組合せの回答をする人は１人いるかどうかである。もし奇跡的にも２７個が完全に一致する人がいれば、その人と自分の個性は日本一ピッタリだと考えても構わないだろう。
【００２４】
奇跡的なほど個性が一致した相手がいると知ったら、お互いに興味を抱くことは充分に考えられる。そこで、サーバ０１から回答が完全に一致した２名の利用者の端末に「あなたと回答がピッタリ一致した相手がいます。連絡をとりたいですか」といった主旨のメッセージが送られる。このメッセージに対して２人ともが了承の意志を返した場合、お互いの連絡先が伝えられ、運命の出会いが生まれる。
【００２５】
もし２７個の質問全てが一致する相手が１人もいない場合も、順次、２６個まで一致した相手、２５個まで一致した相手、というように一致度合いを下げて検索していく。そうして見つかった人の中から一致度が高い相手がいれば、図２のように候補が表示される。そして上記段落００２４と同様に、お互いに連絡をとりたいかどうかを確認し、お互いが了承するなら連絡先を伝え、運命の出会いを提供する。
【００２６】
さらに、同じ仕組みで質問の数を３３個にすれば、回答の組合せは２の３３乗で８５億８９９３万４５９２通りあることになる。つまり、世界中の人が全て本システム装置を利用した場合でも、自分とまったく同じ組合せの回答をする人は１人いるかどうかである。こうすれば、世界規模で運命の出会いを提供することが出来る。
【図面の簡単な説明】
【００２７】
【図１】本発明の一実施例を示す図である。利用者は大勢いて、各自が端末をインターネットに接続している。サーバ０１は本発明の機能を実現するためのプログラムとデータベースを備えていて、インターネットに接続している。
【図２】請求項２にある、自分と個性が一致する、あるいは一致しない相手を発見した場合に表示される画面の例である。ここでは、実施例の段落００２４のように、２７個の質問に回答した結果、完全に回答パターンが一致した相手が発見できた例を書いた。
【図１】
2009093523.tif 000003
【図２】
2009093523.tif 000004